【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
ａ）分子量約１，０００〜約１，０００，０００ダルトンを有する、アルデヒド基を含有する酸化された多糖を含んでなる第１水溶液であって、該酸化された多糖が約９０〜約１５００ダルトンのアルデヒド基１個あたりの当量を有し、該溶液が酸化された多糖約５〜約４０重量％を含有する第１水溶液と、
ｂ）アームの少なくとも３つが第１級アミン基を末端とする水分散性マルチアームポリエーテルアミンを含んでなる第２水溶液であって、マルチアームポリエーテルアミンが分子量約４５０〜約２００，０００ダルトンを有し、該溶液がマルチアームポリエーテルアミン約５〜約７０重量％を含有する第２水溶液と
を含んでなるキット。
【請求項２】
１つもしくはそれ以上の第１級アミン基を有する少なくとも１種の他の多官能性アミンを含んでなる第３溶液をさらに含んでなり、該溶液が溶液の全重量に対して多官能性アミンを約５〜約１００重量％含有する請求項１に記載のキット。
【請求項３】
生体組織の解剖学的部位に、ａ）分子量約１，０００〜約１，０００，０００ダルトンを有する、アルデヒド基を含有する酸化された多糖を含んでなる第１水溶液であって、該酸化された多糖が約９０〜約１５００ダルトンのアルデヒド基１個あたりの当量を有し、該溶液が酸化された多糖約５〜約４０重量％を含有する第１水溶液を施し、続いて、ｂ）アームの少なくとも３つが第１級アミン基を末端とする水分散性マルチアームポリエーテルアミンを含んでなる第２水溶液であって、該マルチアームポリエーテルアミンが分子量約４５０〜約２００，０００ダルトンを有し、該溶液がマルチアームポリエーテルアミン約５〜約７０重量％を含有する第２水溶液を施すか、または（ｂ）の水溶液に続いて（ａ）の水溶液を施すか、または（ａ）および（ｂ）の水溶液を予め混合し、得られる混合物が完全に硬化する前に、得られる混合物を部位に施すことを含んでなる、生体組織の解剖学的部位にコーティングを施す方法。
【請求項４】
少なくとも１つの解剖学的部位に、ａ）分子量約１，０００〜約１，０００，０００ダルトンを有する、アルデヒド基を含有する酸化された多糖を含んでなる第１水溶液であって、該酸化された多糖が約９０〜約１５００ダルトンのアルデヒド基１個あたりの当量を有し、該溶液が酸化された多糖約５〜約４０重量％を含有する第１水溶液を施し；同じ部位またはもう１つの他の部位の少なくとも１つに、ｂ）アームの少なくとも３つが第１級アミン基を末端とする水分散性マルチアームポリエーテルアミンを含んでなる第２水溶液であって、該マルチアームポリエーテルアミンが分子量約４５０〜約２００，０００ダルトンを有し、該溶液がマルチアームポリエーテルアミン約５〜約７０重量％を含有する第２水溶液を施すか；または（ａ）および（ｂ）の溶液を予め混合し、得られる混合物が完全に硬化する前に、得られる混合物を少なくとも１つの部位に施し；そして少なくとも２つの解剖学的部位を互いに接触させることを含んでなる、少なくとも２つの解剖学的部位を互いに結合する方法。
【請求項５】
部位に、ｃ）１つもしくはそれ以上の第１級アミン基を有する多官能性アミンを含んでなる第３溶液を施し、その際、溶液（ａ）、（ｂ）、および（ｃ）は任意の順序で施されるか、または（ａ）、（ｂ）、（ｃ）の溶液を予め混合し、得られる混合物が完全に硬化する前に、得られる混合物を部位に施すことをさらに含んでなる請求項３に記載の方法。
【請求項６】
少なくとも１つの部位に、ｃ）１つもしくはそれ以上の第１級アミン基を有する多官能性アミンを含んでなる第３溶液を施すか；または（ａ）、（ｂ）、（ｃ）の溶液を予め混合し、得られる混合物が完全に硬化する前に、得られる混合物を部位に施し；そして少なくとも２つの解剖学的部位を互いに接触させることをさらに含んでなる請求項４に記載の方法。
【請求項７】
ａ）分子量約１，０００〜約１，０００，０００ダルトンを有する、アルデヒド基を含有する酸化された多糖を含んでなる第１水溶液であって、該酸化された多糖が約９０〜約１５００ダルトンのアルデヒド基１個あたりの当量を有し、該溶液が酸化された多糖約５〜約４０重量％を含有する第１水溶液と、
ｂ）アームの少なくとも３つが第１級アミン基を末端とする水分散性マルチアームポリエーテルアミンを含んでなる第２水溶液であって、該マルチアームポリエーテルアミンが分子量約４５０〜約２００，０００ダルトンを有し、該溶液がマルチアームポリエーテルアミン約５〜約７０重量％を含有する第２水溶液と
の反応生成物を含んでなる組成物。
【請求項８】
第２水溶液が１つもしくはそれ以上の第１級アミン基を有する少なくとも１種の他の多官能性アミンをさらに含んでなり、該多官能性アミンが溶液中のマルチアームポリエーテルアミンの量に対して約５〜約１０００重量％の濃度で存在する請求項７に記載の組成物。
【請求項９】
ｃ）１つもしくはそれ以上の第１級アミン基を有する多官能性アミンを含んでなり、溶液の全重量に対して多官能性アミンを約５〜約１００重量％含有する第３溶液をさらに含んでなる請求項７に記載の組成物。
【手続補正２】
【補正対象書類名】明細書
【補正対象項目名】０１５１
【補正方法】変更
【補正の内容】
【０１５１】
３日後の剖検で、肉眼での組織反応および接着剤の存在について、接着剤施し部位を調べた。ＩＳＯ皮内反応性試験（ＩＳＯ  １０９９３−１２）と一致するスコアリングシステムを用いて、紅斑および浮腫の重症度を評価した。その試験によって、推定される糞便の漏出が原因で部位における癒着が肉眼的に明らかとなった。さらに、接着剤が腸管表面から持ち上がり、縫合末端に機械的に取り付けられた。腸の約１２．５ｃｍのセクションをウサギから切除し、漏出圧力について評価した。すべての事例ではないが１つの事例において、本質的にゼロゲージ圧力で漏出が起こった。１つの事例は、漏出圧力約２５ｍｍＨｇを有した。病理組織学的分析から、漏出が原因の炎症反応が明らかとなった。この結果から、フィブリン接着剤と比較して、実施例４８に記載のデキストラン−ＰＥＧ接着剤の生体内での優れた接着性および閉鎖能力が実証されている。
なお、本発明の主たる特徴及び態様を要約すれば、以下のとおりである。
１．  ａ）分子量約１，０００〜約１，０００，０００ダルトンを有する、アルデヒド基を含有する酸化された多糖を含んでなる第１水溶液であって、該酸化された多糖が約９０〜約１５００ダルトンのアルデヒド基１個あたりの当量を有し、該溶液が酸化された多糖約５〜約４０重量％を含有する第１水溶液と、
ｂ）アームの少なくとも３つが第１級アミン基を末端とする水分散性マルチアームポリエーテルアミンを含んでなる第２水溶液であって、マルチアームポリエーテルアミンが分子量約４５０〜約２００，０００ダルトンを有し、該溶液がマルチアームポリエーテルアミン約５〜約７０重量％を含有する第２水溶液と
を含んでなるキット。
２．  酸化された多糖の分子量が約３，０００〜約２５０，０００ダルトンである上記１に記載のキット。
３．  マルチアームポリエーテルアミンの分子量が約２，０００〜約４０，０００ダルトンである上記１に記載のキット。
４．  酸化された多糖がデキストラン、キチン、デンプン、寒天、セルロース、およびヒアルロン酸よりなる群から選択される上記１に記載のキット。
５．  第１水溶液の酸化された多糖のアルデヒド基が第２水溶液のマルチアームポリエーテルアミン上のアミン基に対して化学量論的に過剰で存在する上記１に記載のキット。
６．  第１および第２水溶液が滅菌されている上記１に記載のキット。
７．  第１および第２水溶液がｐＨ調整剤、粘度調整剤、抗菌剤、着色剤、治癒促進剤、界面活性剤、抗炎症剤、トロンボゲン形成剤（ｔｈｒｏｍｂｏｇｅｎｉｃ  ａｇｅｎｔ）、および放射線不透過性化合物よりなる群から選択される添加剤をさらに含んでなる上記１に記載のキット。
８．  該着色剤がＦＤ＆Ｃバイオレット（Ｖｉｏｌｅｔ）Ｎｏ．２、Ｄ＆Ｃグリーン（Ｇｒｅｅｎ）Ｎｏ．６、Ｄ＆Ｃグリーン（Ｇｒｅｅｎ）Ｎｏ．５、およびＤ＆Ｃバイオレット（Ｖｉｏｌｅｔ）Ｎｏ．２よりなる群から選択される上記７に記載のキット。
９．  該抗菌剤がトリクロサンである上記７に記載のキット。
１０．  第１および第２水溶液が製薬または治療薬をさらに含んでなる上記１に記載のキット。
１１．  第１水溶液中の酸化された多糖の濃度が約１５〜約３０重量％である上記１に記載のキット。
１２．  水分散性マルチアームポリエーテルアミンがアミノ末端星型ポリエチレンオキシド、アミノ末端樹状ポリエチレンオキシド、アミノ末端櫛形ポリエチレンオキシド、アミノ末端星型ポリプロピレンオキシド、アミノ末端樹状ポリプロピレンオキシド、アミノ末端櫛形ポリプロピレンオキシド、アミノ末端星型ポリエチレンオキシド−ポリプロピレンオキシドコポリマー、アミノ末端樹状ポリエチレンオキシド−ポリプロピレンオキシドコポリマー、アミノ末端櫛形ポリエチレンオキシド−ポリプロピレンオキシドコポリマー、アミノ末端樹状ポリアミドアミン、およびポリオキシアルキレントリアミンよりなる群から選択される上記１に記載のキット。
１３．  マルチアームポリエーテルアミンが第１級アミン基を末端とする８本のアームを含んでなりかつ分子量１０，０００ダルトンを有する星型ポリエチレングリコールである上記１に記載のキット。
１４．  第２水溶液中のマルチアームポリエーテルアミンの濃度が約２０〜約５０重量％である上記１に記載のキット。
１５．  第２水溶液が１つもしくはそれ以上の第１級アミン基を有する少なくとも１種の他の多官能性アミンをさらに含んでなり、該多官能性アミンが溶液中のマルチアームポリエーテルアミンの量に対して約５〜約１０００重量％の濃度で存在する上記１に記載のキット。
１６．  多官能性アミンが水分散性マルチアームポリエーテルアミン、直鎖状および分岐状ジアミン、分岐状ポリアミン、環状ジアミン、アミノアルキルトリアルコキシシラン、アミノアルキルジアルコキシアルキルシラン、ジヒドラジド、直鎖状ポリマージアミン、櫛形ポリアミン、ジヒドラジドおよびポリヒドラジドよりなる群から選択される上記１５に記載のキット。
１７．  １つもしくはそれ以上の第１級アミン基を有する少なくとも１種の他の多官能性アミンを含んでなる第３溶液をさらに含んでなり、該溶液が溶液の全重量に対して多官能性アミンを約５〜約１００重量％含有する上記１に記載のキット。
１８．  多官能性アミンが水分散性マルチアームポリエーテルアミン、直鎖状ジアミン、分岐状ジアミン、分岐状ポリアミン、環状ジアミン、アミノアルキルトリアルコキシシラン、ジヒドラジド、直鎖状ポリマージアミン、櫛形ポリアミン、ジヒドラジドおよびポリヒドラジドよりなる群から選択される上記１７に記載のキット。
１９．  第３溶液が滅菌されている上記１７に記載のキット。
２０．  生体組織の解剖学的部位に、ａ）分子量約１，０００〜約１，０００，０００ダルトンを有する、アルデヒド基を含有する酸化された多糖を含んでなる第１水溶液であって、該酸化された多糖が約９０〜約１５００ダルトンのアルデヒド基１個あたりの当量を有し、該溶液が酸化された多糖約５〜約４０重量％を含有する第１水溶液を施し、続いて、ｂ）アームの少なくとも３つが第１級アミン基を末端とする水分散性マルチアームポリエーテルアミンを含んでなる第２水溶液であって、該マルチアームポリエーテルアミンが分子量約４５０〜約２００，０００ダルトンを有し、該溶液がマルチアームポリエーテルアミン約５〜約７０重量％を含有する第２水溶液を施すか、または（ｂ）の水溶液に続いて（ａ）の水溶液を施すか、または（ａ）および（ｂ）の水溶液を予め混合し、得られる混合物が完全に硬化する前に、得られる混合物を部位に施すことを含んでなる、生体組織の解剖学的部位にコーティングを施す方法。
２１．  少なくとも１つの解剖学的部位に、ａ）分子量約１，０００〜約１，０００，０００ダルトンを有する、アルデヒド基を含有する酸化された多糖を含んでなる第１水溶液であって、該酸化された多糖が約９０〜約１５００ダルトンのアルデヒド基１個あたりの当量を有し、該溶液が酸化された多糖約５〜約４０重量％を含有する第１水溶液を施し；同じ部位またはもう１つの他の部位の少なくとも１つに、ｂ）アームの少なくとも３つが第１級アミン基を末端とする水分散性マルチアームポリエーテルアミンを含んでなる第２水溶液であって、該マルチアームポリエーテルアミンが分子量約４５０〜約２００，０００ダルトンを有し、該溶液がマルチアームポリエーテルアミン約５〜約７０重量％を含有する第２水溶液を施すか；または（ａ）および（ｂ）の溶液を予め混合し、得られる混合物が完全に硬化する前に、得られる混合物を少なくとも１つの部位に施し；そして少なくとも２つの解剖学的部位を互いに接触させることを含んでなる、少なくとも２つの解剖学的部位を互いに結合する方法。
２２．  酸化された多糖の分子量が約３，０００〜約２５０，０００ダルトンである上記２０または２１に記載の方法。
２３．  マルチアームポリエーテルアミンの分子量が約２，０００〜約４０，０００ダルトンである上記２０または２１に記載の方法。
２４．  酸化された多糖がデキストラン、キチン、デンプン、寒天、セルロース、およびヒアルロン酸よりなる群から選択される上記２０または２１に記載の方法。
２５．  第１水溶液の酸化された多糖のアルデヒド基が第２水溶液のマルチアームポリエーテルアミンのアミン基に対して化学量論的に過剰で存在する上記２０または２１に記載の方法。
２６．  第１および第２水溶液が滅菌されている上記２０または２１に記載の方法。
２７．  第１および第２水溶液がｐＨ調整剤、粘度調整剤、抗菌剤、着色剤、治癒促進剤、界面活性剤、抗炎症剤、トロンボゲン形成剤、および放射線不透過性化合物よりなる群から選択される添加剤をさらに含んでなる上記２０または２１に記載の方法。
２８．  該着色剤がＦＤ＆Ｃバイオレット（Ｖｉｏｌｅｔ）Ｎｏ．２、Ｄ＆Ｃグリーン（Ｇｒｅｅｎ）Ｎｏ．６、Ｄ＆Ｃグリーン（Ｇｒｅｅｎ）Ｎｏ．５、およびＤ＆Ｃバイオレット（Ｖｉｏｌｅｔ）Ｎｏ．２よりなる群から選択される上記２７に記載の方法。
２９．  該抗菌剤がトリクロサンである上記２７に記載の方法。
３０．  第１および第２水溶液が製薬または治療薬をさらに含んでなる上記２０または２１に記載の方法。
３１．  第１水溶液中の酸化された多糖の濃度が約１５〜約３０重量％である上記２０または２１に記載の方法。
３２．  水分散性マルチアームポリエーテルアミンがアミノ末端星型ポリエチレンオキシド、アミノ末端樹状ポリエチレンオキシド、アミノ末端櫛形ポリエチレンオキシド、アミノ末端星型ポリプロピレンオキシド、アミノ末端樹状ポリプロピレンオキシド、アミノ末端櫛形ポリプロピレンオキシド、アミノ末端星型ポリエチレンオキシド−ポリプロピレンオキシドコポリマー、アミノ末端樹状ポリエチレンオキシド−ポリプロピレンオキシドコポリマー、アミノ末端櫛形ポリエチレンオキシド−ポリプロピレンオキシドコポリマー、アミノ末端樹状ポリアミドアミン、およびポリオキシアルキレントリアミンよりなる群から選択される上記２０または２１に記載の方法。
３３．  水分散性マルチアームポリエーテルアミンが第１級アミン基を末端とする８本のアームを含んでなりかつ分子量１０，０００ダルトンを有するポリエチレングリコールである上記２０または２１に記載の方法。
３４．  第２水溶液中のマルチアームポリエーテルアミンの濃度が約２０〜約５０重量％である上記２０または２１に記載の方法。
３５．  第２水溶液が１つもしくはそれ以上の第１級アミン基を有する少なくとも１種の他の多官能性アミンをさらに含んでなり、該多官能性アミンが溶液中のマルチアームポリエーテルアミンの量に対して約５〜約１０００重量％の濃度で存在する上記２０または２１に記載の方法。
３６．  多官能性アミンが水分散性マルチアームポリエーテルアミン、直鎖状ジアミン、分岐状ジアミン、分岐状ポリアミン、環状ジアミン、アミノアルキルトリアルコキシシラン、ジヒドラジド、直鎖状ポリマージアミン、櫛形ポリアミン、ジヒドラジドおよびポリヒドラジドよりなる群から選択される上記３５に記載の方法。
３７．  部位に、ｃ）１つもしくはそれ以上の第１級アミン基を有する多官能性アミンを含んでなる第３溶液を施し、その際、溶液（ａ）、（ｂ）、および（ｃ）は任意の順序で施されるか、または（ａ）、（ｂ）、（ｃ）の溶液を予め混合し、得られる混合物が完全に硬化する前に、得られる混合物を部位に施すことをさらに含んでなる上記２０に記載の方法。
３８．  多官能性アミンが水分散性マルチアームポリエーテルアミン、直鎖状ジアミン、分岐状ジアミン、分岐状ポリアミン、環状ジアミン、アミノアルキルトリアルコキシシラン、ジヒドラジド、直鎖状ポリマージアミン、櫛形ポリアミン、ジヒドラジドおよびポリヒドラジドよりなる群から選択される上記３７に記載の方法。
３９．  少なくとも１つの部位に、ｃ）１つもしくはそれ以上の第１級アミン基を有する多官能性アミンを含んでなる第３溶液を施すか；または（ａ）、（ｂ）、（ｃ）の溶液を予め混合し、得られる混合物が完全に硬化する前に、得られる混合物を部位に施し；そして少なくとも２つの解剖学的部位を互いに接触させることをさらに含んでなる上記２１に記載の方法。
４０．  多官能性アミンが水分散性マルチアームポリエーテルアミン、直鎖状ジアミン、分岐状ジアミン、分岐状ポリアミン、環状ジアミン、アミノアルキルトリアルコキシシラン、ジヒドラジド、直鎖状ポリマージアミン、櫛形ポリアミン、ジヒドラジドおよびポリヒドラジドよりなる群から選択される上記３９に記載の方法。
４１．  第３溶液が滅菌されている上記３７または３９に記載の方法。
４２．  解剖学的部位が皮膚上の創傷であり、かつ方法が局所創傷の処置に使用される上記２０に記載の方法。
４３．  解剖学的部位が腸または血管上にあり、かつ方法が吻合処置で使用される上記２０に記載の方法。
４４．  解剖学的部位が眼球上にあり、かつ方法が角膜切開を閉鎖するために使用される上記２０に記載の方法。
４５．  方法が隣接する解剖学的部位間の癒着を防ぐために使用される上記２０に記載の方法。
４６．  第１および第２水溶液が製薬または治療薬をさらに含んでなり、かつ方法が解剖学的部位への薬物送達に使用される上記２０に記載の方法。
４７．  解剖学的部位が膀胱であり、かつ方法が尿失禁を治療するために使用される上記２０に記載の方法。
４８．  ａ）分子量約１，０００〜約１，０００，０００ダルトンを有する、アルデヒド基を含有する酸化された多糖を含んでなる第１水溶液であって、該酸化された多糖が約９０〜約１５００ダルトンのアルデヒド基１個あたりの当量を有し、該溶液が酸化された多糖約５〜約４０重量％を含有する第１水溶液と、
ｂ）アームの少なくとも３つが第１級アミン基を末端とする水分散性マルチアームポリエーテルアミンを含んでなる第２水溶液であって、該マルチアームポリエーテルアミンが分子量約４５０〜約２００，０００ダルトンを有し、該溶液がマルチアームポリエーテルアミン約５〜約７０重量％を含有する第２水溶液と
の反応生成物を含んでなる組成物。
４９．  酸化された多糖の分子量が約３，０００〜約２５０，０００ダルトンである上記４８に記載の組成物。
５０．  マルチアームポリエーテルアミンの分子量が約２，０００〜約４０，０００ダルトンである上記４８に記載の組成物。
５１．  酸化された多糖がデキストラン、キチン、デンプン、寒天、セルロース、およびヒアルロン酸よりなる群から選択される上記４８に記載の組成物。
５２．  第１水溶液の酸化された多糖のアルデヒド基が第２水溶液のアミンのアミン基に対して化学量論的に過剰で存在する上記４８に記載の組成物。
５３．  第１および第２水溶液が滅菌されている上記４８に記載の組成物。
５４．  第１または第２水溶液がｐＨ調整剤、粘度調整剤、抗菌剤、着色剤、治癒促進剤、界面活性剤、抗炎症剤、トロンボゲン形成剤、および放射線不透過性化合物よりなる群から選択される添加剤をさらに含んでなる上記４８に記載の組成物。
５５．  該着色剤がＦＤ＆Ｃバイオレット（Ｖｉｏｌｅｔ）Ｎｏ．２、Ｄ＆Ｃグリーン（Ｇｒｅｅｎ）Ｎｏ．６、Ｄ＆Ｃグリーン（Ｇｒｅｅｎ）Ｎｏ．５、およびＤ＆Ｃバイオレット（Ｖｉｏｌｅｔ）Ｎｏ．２よりなる群から選択される上記５４に記載の組成物。
５６．  該抗菌剤がトリクロサンである上記５４に記載の組成物。
５７．  第１または第２水溶液が製薬または治療薬をさらに含んでなる上記４８に記載の組成物。
５８．  第１水溶液中の酸化された多糖の濃度が約１５〜約３０重量％である上記４８に記載の組成物。
５９．  水分散性マルチアームポリエーテルアミンがアミノ末端星型ポリエチレンオキシド、アミノ末端樹状ポリエチレンオキシド、アミノ末端櫛形ポリエチレンオキシド、アミノ末端星型ポリプロピレンオキシド、アミノ末端樹状ポリプロピレンオキシド、アミノ末端櫛形ポリプロピレンオキシド、アミノ末端星型ポリエチレンオキシド−ポリプロピレンオキシドコポリマー、アミノ末端樹状ポリエチレンオキシド−ポリプロピレンオキシドコポリマー、アミノ末端櫛形ポリエチレンオキシド−ポリプロピレンオキシドコポリマー、アミノ末端樹状ポリアミドアミン、およびポリオキシアルキレントリアミンよりなる群から選択される上記４８に記載の組成物。
６０．  水分散性マルチアームポリエーテルアミンが第１級アミン基を末端とする８本のアームを含んでなりかつ分子量１０，０００ダルトンを有する星型ポリエチレングリコールである上記４８に記載の組成物。
６１．  第２水溶液中のマルチアームポリエーテルアミンの濃度が約２０〜約５０重量％である上記４８に記載の組成物。
６２．  第２水溶液が１つもしくはそれ以上の第１級アミン基を有する少なくとも１種の他の多官能性アミンをさらに含んでなり、該多官能性アミンが溶液中のマルチアームポリエーテルアミンの量に対して約５〜約１０００重量％の濃度で存在する上記４８に記載の組成物。
６３．  多官能性アミンが水分散性マルチアームポリエーテルアミン、直鎖状ジアミン、分岐状ジアミン、分岐状ポリアミン、環状ジアミン、アミノアルキルトリアルコキシシラン、ジヒドラジド、直鎖状ポリマージアミン、櫛形ポリアミン、ジヒドラジドおよびポリヒドラジドよりなる群から選択される上記６２に記載の組成物。
６４．  ｃ）１つもしくはそれ以上の第１級アミン基を有する多官能性アミンを含んでなり、溶液の全重量に対して多官能性アミンを約５〜約１００重量％含有する第３溶液をさらに含んでなる上記４８に記載の組成物。
６５．  多官能性アミンが水分散性マルチアームポリエーテルアミン、直鎖状ジアミン、分岐状ジアミン、分岐状ポリアミン、環状ジアミン、アミノアルキルトリアルコキシシラン、ジヒドラジド、直鎖状ポリマージアミン、櫛形ポリアミン、ジヒドラジドおよびポリヒドラジドよりなる群から選択される上記６４に記載の組成物。